(57)【要約】【課題】  独自のホームページを有する店舗が、総合サイトにおいても店舗情報を公開する場合に店舗情報を入力する手間が大きくなることを解消すること。【解決手段】  各店舗のホームページアドレスを入力するための入力手段５１と、項目キーワードを設定するキーワード設定手段５１と、前記入力されたホームページアドレスのホームページデータを取得するホームページデータ取得手段５１と、該取得したホームページデータを前記項目キーワードで検索して当該項目キーワードが存在するタグ間に含まれる文字情報を抽出する抽出手段５１と、共通ホームページのデータを記憶するための共通ホームページデータ記憶手段５５と、前記抽出した文字情報を共通ホームページに挿入して総合店舗情報ホームページを作成するホームページ作成手段５１と、該作成した総合店舗情報ホームページデータと登録要求とを、前記総合サイトを提供するサイトサーバ１に送信する登録要求送信手段５１と、を備える。【選択図】  図１６
2005339418.tif 000002
【特許請求の範囲】
【請求項１】
データ通信可能に接続された複数のコンピュータ端末から成るコンピュータネットワークに接続されたコンピュータを用いて、複数の店舗の店舗情報を１つの総合サイトにおいて提供するための総合店舗情報ホームページを作成するホームページ作成システムであって、
各店舗のホームページのホームページアドレスを入力するための入力手段と、
前記総合サイトにおいて提供する店舗情報の項目に対応する項目キーワードを設定するキーワード設定手段と、
前記入力手段から入力されたホームページアドレスに対応するホームページのホームページデータを、予め定められた所定の取得時期において取得するホームページデータ取得手段と、
該ホームページデータ取得手段にて取得したホームページデータを前記キーワード設定手段にて設定された項目キーワードで検索し、当該項目キーワードが存在するときに、該ホームページデータ中の当該項目キーワードが存在するタグ間に、当該項目キーワードとともに含まれる文字情報を抽出する抽出手段と、
前記総合店舗情報ホームページのホームページデータの内、前記店舗情報の項目を含み、各店舗に共通する部分である共通ホームページデータを記憶する共通ホームページデータ記憶手段と、
前記抽出手段にて抽出した文字情報を該抽出に用いた項目キーワードの項目に対応する店舗情報として前記共通ホームページデータ記憶手段に記憶された共通ホームページデータに挿入することにより前記総合店舗情報ホームページを作成するホームページ作成手段と、
該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバに送信する登録要求送信手段と、
を備えることを特徴とするホームページ作成システム。
【請求項２】
前記項目キーワードが存在するタグ間に当該項目キーワードとともに含まれる文字情報の最低文字数を設定する最低文字数設定手段を備え、
前記抽出手段は、抽出した文字情報の文字数が前記最低文字数設定手段にて設定された最低文字数未満であるときに、前記項目キーワードが存在するタグと所定の配置関係にあるタグ間を新たな抽出対象として、当該新たな抽出対象となるタグ間に含まれる文字情報を抽出することを特徴とする請求項１に記載のホームページ作成システム。
【請求項３】
前記所定の配置関係を各店舗毎に設定する配置関係設定手段を備え、
前記抽出手段は、抽出した文字情報の文字数が前記最低文字数設定手段にて設定された最低文字数未満であるときに、前記配置関係設定手段にて抽出対象のホームページデータに対応する店舗に対して設定された所定の配置関係から、新たに抽出対象とするタグ間を特定して文字情報を抽出することを特徴とする請求項２に記載のホームページ作成システム。
【請求項４】
データ通信可能に接続された複数のコンピュータ端末から成るコンピュータネットワークに接続されたコンピュータを用いて、複数の店舗の店舗情報を１つの総合サイトにおいて提供するための総合店舗情報ホームページを作成するホームページ作成システムであって、
各店舗のホームページのホームページアドレスを入力するための入力手段と、
前記総合サイトにおいて提供する店舗情報の項目に対応する項目キーワードと、当該項目に対応する内容キーワードとを設定するキーワード設定手段と、
前記入力手段から入力されたホームページアドレスに対応するホームページのホームページデータを、予め定められた所定の取得時期において取得するホームページデータ取得手段と、
該ホームページデータ取得手段にて取得したホームページデータを前記キーワード設定手段にて設定された項目キーワードで検索し、当該項目キーワードが存在するときに、該ホームページデータ中の当該項目キーワードが存在するタグを含む所定範囲を、該項目キーワードに対応して前記キーワード設定手段にて設定された内容キーワードに基づいて検索し、該検索において内容キーワードが存在するときに、当該内容キーワードが存在するタグ間に含まれる文字情報を抽出する抽出手段と、
前記総合店舗情報ホームページのホームページデータの内、前記店舗情報の項目を含み、各店舗に共通する部分である共通ホームページデータを記憶する共通ホームページデータ記憶手段と、
前記抽出手段にて抽出した文字情報を該抽出に用いた項目キーワードの項目に対応する店舗情報として前記共通ホームページデータ記憶手段に記憶された共通ホームページデータに挿入することにより前記総合店舗情報ホームページを作成するホームページ作成手段と、
該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバに送信する登録要求送信手段と、
を備えることを特徴とするホームページ作成システム。
【請求項５】
前記キーワード設定手段においては、前記項目キーワード並びに内容キーワードを、各店舗毎に個別に設定し、
前記抽出手段は、抽出対象とする前記ホームページデータを当該ホームページデータに対応する店舗に対して前記キーワード設定手段にて設定された項目キーワード並びに内容キーワードで検索して前記抽出を行うことを特徴とする請求項４に記載のホームページ作成システム。
【請求項６】
前記内容キーワードにて検索する所定範囲を、各店舗毎に個別に設定する検索範囲設定手段を備え、
前記抽出手段は、抽出対象とする前記ホームページデータを当該ホームページデータに対応する店舗に対して前記検索範囲設定手段にて設定された所定範囲を検索して前記抽出を行うことを特徴とする請求項４または５に記載のホームページ作成システム。
【請求項７】
前記総合サイトにおいて公開する店舗情報の項目を、各店舗毎に個別に設定する公開項目設定手段を備え、
前記抽出手段は、抽出対象とする前記ホームページデータを当該ホームページデータに対応する店舗に対して前記公開項目設定手段にて設定された項目に対応する項目キーワードで検索して前記抽出を行うことを特徴とする請求項１〜６のいずれかに記載のホームページ作成システム。
【発明の詳細な説明】
【技術分野】
【０００１】
本発明は、データ通信可能に接続された複数のコンピュータ端末から成るインターネット等のコンピュータネットワークに接続されたコンピュータを用いて、複数の店舗の店舗情報を１つの総合サイトにおいて提供するための総合店舗情報ホームページを作成するホームページ作成システムに関する。
【背景技術】
【０００２】
従来において総合サイトにて複数の店舗、例えば遊技場の店舗情報を提供するための総合店舗情報ホームページを作成する場合においては、各遊技場の担当者等が総合サイトを提供するサーバコンピュータにアクセスして、当該サイトにて公開する自遊技場の店舗情報を登録（入力）するものがある（例えば、特許文献１参照）。
【０００３】
【特許文献１】特開２００２−８３０８８号公報（第５頁、第１４図）
【発明の開示】
【発明が解決しようとする課題】
【０００４】
しかしながら、特許文献１のシステムにあっては、遊技場が独自のホームページにて自店の店舗情報を公開している場合には、該遊技場独自のホームページとともに、前記総合サイトの店舗情報とを、これら店舗情報が同一であっても二重に入力して登録する必要があり、各店舗である遊技場にとってこれらの店舗情報を入力して登録する手間が大きなものとなってしまうという問題があった。
【０００５】
本発明は、このような問題点に着目してなされたもので、独自のホームページにて自店の店舗情報を公開している店舗が、総合サイトにおいても店舗情報を公開する場合において、自店の店舗情報を入力して登録する各店舗の手間が大きなものとなってしまうことを解消できるホームページ作成システムを提供することを目的とする。
【課題を解決するための手段】
【０００６】
上記課題を解決するために、本発明の請求項１に記載のホームページ作成システムは、
データ通信可能に接続された複数のコンピュータ端末から成るコンピュータネットワークに接続されたコンピュータを用いて、複数の店舗の店舗情報を１つの総合サイトにおいて提供するための総合店舗情報ホームページを作成するホームページ作成システムであって、
各店舗のホームページのホームページアドレスを入力するための入力手段と、
前記総合サイトにおいて提供する店舗情報の項目に対応する項目キーワードを設定するキーワード設定手段と、
前記入力手段から入力されたホームページアドレスに対応するホームページのホームページデータを、予め定められた所定の取得時期において取得するホームページデータ取得手段と、
該ホームページデータ取得手段にて取得したホームページデータを前記キーワード設定手段にて設定された項目キーワードで検索し、当該項目キーワードが存在するときに、該ホームページデータ中の当該項目キーワードが存在するタグ間に、当該項目キーワードとともに含まれる文字情報を抽出する抽出手段と、
前記総合店舗情報ホームページのホームページデータの内、前記店舗情報の項目を含み、各店舗に共通する部分である共通ホームページデータを記憶する共通ホームページデータ記憶手段と、
前記抽出手段にて抽出した文字情報を該抽出に用いた項目キーワードの項目に対応する店舗情報として前記共通ホームページデータ記憶手段に記憶された共通ホームページデータに挿入することにより前記総合店舗情報ホームページを作成するホームページ作成手段と、
該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバに送信する登録要求送信手段と、
を備えることを特徴としている。
この特徴によれば、ホームページにて自店の店舗情報を公開している各店舗が、総合サイトにおいても店舗情報を公開するための、自店の店舗情報を入力して登録する手間が大きなものとなってしまうことを解消できる。
【０００７】
本発明の請求項２に記載のホームページ作成システムは、請求項１に記載のホームページ作成システムであって、
前記項目キーワードが存在するタグ間に当該項目キーワードとともに含まれる文字情報の最低文字数を設定する最低文字数設定手段を備え、
前記抽出手段は、抽出した文字情報の文字数が前記最低文字数設定手段にて設定された最低文字数未満であるときに、前記項目キーワードが存在するタグと所定の配置関係にあるタグ間を新たな抽出対象として、当該新たな抽出対象となるタグ間に含まれる文字情報を抽出することを特徴としている。
この特徴によれば、店舗情報が、項目キーワードが存在するタグ間に無い可能性が高い場合に、該タグと所定の配置関係にあるタグ間を新たな抽出対象として抽出を実施することで、より確実に店舗情報を抽出することができる。
【０００８】
本発明の請求項３に記載のホームページ作成システムは、請求項２に記載のホームページ作成システムであって、
前記所定の配置関係を各店舗毎に設定する配置関係設定手段を備え、
前記抽出手段は、抽出した文字情報の文字数が前記最低文字数設定手段にて設定された最低文字数未満であるときに、前記配置関係設定手段にて抽出対象のホームページデータに対応する店舗に対して設定された所定の配置関係から、新たに抽出対象とするタグ間を特定して文字情報を抽出することを特徴としている。
この特徴によれば、各店舗のホームページにおける店舗情報の記載態様が異なっていても、これら異なった記載態様に応じた所定の配置関係を各店舗毎に設定できるので、各店舗の店舗情報をより確実に抽出し、総合店舗情報ホームページに反映できる。
【０００９】
本発明の請求項４に記載のホームページ作成システムは、
データ通信可能に接続された複数のコンピュータ端末から成るコンピュータネットワークに接続されたコンピュータを用いて、複数の店舗の店舗情報を１つの総合サイトにおいて提供するための総合店舗情報ホームページを作成するホームページ作成システムであって、
各店舗のホームページのホームページアドレスを入力するための入力手段と、
前記総合サイトにおいて提供する店舗情報の項目に対応する項目キーワードと、当該項目に対応する内容キーワードとを設定するキーワード設定手段と、
前記入力手段から入力されたホームページアドレスに対応するホームページのホームページデータを、予め定められた所定の取得時期において取得するホームページデータ取得手段と、
該ホームページデータ取得手段にて取得したホームページデータを前記キーワード設定手段にて設定された項目キーワードで検索し、当該項目キーワードが存在するときに、該ホームページデータ中の当該項目キーワードが存在するタグを含む所定範囲を、該項目キーワードに対応して前記キーワード設定手段にて設定された内容キーワードに基づいて検索し、該検索において内容キーワードが存在するときに、当該内容キーワードが存在するタグ間に含まれる文字情報を抽出する抽出手段と、
前記総合店舗情報ホームページのホームページデータの内、前記店舗情報の項目を含み、各店舗に共通する部分である共通ホームページデータを記憶する共通ホームページデータ記憶手段と、
前記抽出手段にて抽出した文字情報を該抽出に用いた項目キーワードの項目に対応する店舗情報として前記共通ホームページデータ記憶手段に記憶された共通ホームページデータに挿入することにより前記総合店舗情報ホームページを作成するホームページ作成手段と、
該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバに送信する登録要求送信手段と、
を備えることを特徴としている。
この特徴によれば、ホームページにて自店の店舗情報を公開している各店舗が、総合サイトにおいても店舗情報を公開するための、自店の店舗情報を入力して登録する手間が大きなものとなってしまうことを解消できる。
【００１０】
本発明の請求項５に記載のホームページ作成システムは、請求項４に記載のホームページ作成システムであって、
前記キーワード設定手段においては、前記項目キーワード並びに内容キーワードを、各店舗毎に個別に設定し、
前記抽出手段は、抽出対象とする前記ホームページデータを当該ホームページデータに対応する店舗に対して前記キーワード設定手段にて設定された項目キーワード並びに内容キーワードで検索して前記抽出を行うことを特徴としている。
この特徴によれば、各店舗のホームページ毎に、店舗情報の項目および項目に対応する店舗情報の内容の表現態様が異なっていても、これら異なった表現態様に応じた項目キーワードおよび内容キーワードを各店舗毎に設定できるので、各店舗の店舗情報をより確実に抽出し、総合店舗情報ホームページに反映できる。
【００１１】
本発明の請求項６に記載のホームページ作成システムは、請求項４または５に記載のホームページ作成システムであって、
前記内容キーワードにて検索する所定範囲を、各店舗毎に個別に設定する検索範囲設定手段を備え、
前記抽出手段は、抽出対象とする前記ホームページデータを当該ホームページデータに対応する店舗に対して前記検索範囲設定手段にて設定された所定範囲を検索して前記抽出を行うことを特徴としている。
この特徴によれば、各店舗のホームページにおける店舗情報の記載態様が異なっていても、これら異なった記載態様に応じた所定範囲を各店舗毎に設定できるので、各店舗の店舗情報をさらに確実に抽出し、総合店舗情報ホームページに反映できる。
【００１２】
本発明の請求項７に記載のホームページ作成システムは、請求項１〜６のいずれかに記載のホームページ作成システムであって、
前記総合サイトにおいて公開する店舗情報の項目を、各店舗毎に個別に設定する公開項目設定手段を備え、
前記抽出手段は、抽出対象とする前記ホームページデータを当該ホームページデータに対応する店舗に対して前記公開項目設定手段にて設定された項目に対応する項目キーワードで検索して前記抽出を行うことを特徴としている。
この特徴によれば、各店舗が、公開をしたい店舗情報のみを前記総合サイトにおいて公開できる。
【発明を実施するための最良の形態】
【００１３】
本発明の実施例を以下に説明する。
【実施例１】
【００１４】
本実施例は、請求項１〜３並びに請求項７に対応しており、まず図１は、本発明のホームページ作成システムを成すホームページ作成コンピュータ５を備える本実施例のシステムを示すシステム図であり、本実施例のシステムは、図１に示すように、コンピュータネットワークであるインターネット網８に接続されたアクセス利用者である遊技者ａ，ｂのコンピュータ端末としてのインターネット網８への接続機能を有する携帯電話３や可搬可能なノートパソコン４等や、遊技場ａのホームページをインターネット網８を介して配信するためのコンピュータ６や、遊技場ｂのホームページを該遊技場ｂと契約することで、該遊技場ｂに設置されているコンピュータ７をインターネット網に接続するインターネットプロバイダ（ＩＳＰ）に設置されて、該遊技用ｂのホームページをインターネット網８を介して配信するためのウエブサーバ９や、提供センターに設置され、前記インターネット網８に通信装置２を介して接続され、総合サイトであるパーラー情報サイトを提供するための本発明におけるサイトサーバとなるサーバコンピュータ１と、該サーバコンピュータ１並びにインターネット網８に通信装置２を介して接続され、前記コンピュータ６やウエブサーバ９により配信される各遊技場のホームページを取得して、該取得した各遊技場のホームページに含まれる遊技場情報をパーラー情報サイトにて提供可能な本発明における総合店舗情報ホームページとなるサイト用ホームページを作成するホームページ作成コンピュータ５とから主に構成されており、アクセス利用者である遊技者ａ，ｂのコンピュータ端末３，４並びにコンピュータ６やウエブサーバ９とサーバコンピュータ１並びにホームページ作成コンピュータ５とは、インターネット網８を介して双方にデータ送受可能に構成されている。
【００１５】
この本実施例において使用したサーバコンピュータ１の構成は、図２に示すように、コンピュ−タ内部にてデ−タの送受を行うデ−タバス１０に、該サーバコンピュータ１が実施するアクセス利用者の認証処理や、アクセス利用者から受付けた都市や地域等に対応する遊技場一覧ページや各遊技場のサイト用ホームページを配信する配信処理を等を実施する中央演算処理装置（ＣＰＵ）１１や、該ＣＰＵ１１が行う各処理に使用されるメモリ等として使用されるＲＡＭ１２や、現在の時刻情報や任意の年月日の曜日等のカレンダ−情報を出力可能なリアルタイムクロック（ＲＴＣ）１７と、前記通信装置２に接続されてインターネット網８やホームページ作成コンピュータ５とのデータの送受信を行う通信インターフェイス１３と、磁気ディスクや光磁気ディスクから成り、後述するユーザー情報データベースが記憶されるとともに、ホームページ作成コンピュータ５にて作成されてアップロードされた遊技場一覧ページのデータやサイト用ホームページのデータを記憶するためのページデータ記憶領域を有する記憶装置１５とが接続された比較的高速の演算処理が可能な通常のコンピュ−タとされており、前記ページデータ記憶領域に記憶されている各ホームページのデータは、アクセス者が使用する各コンピュータ端末のプラットホーム（オペレーションシステム）等に依存せずに、どのプラットホームにおいても相互に使用可能なＨＴＭＬ（ハイパーテキストマークアップラングエッジ）言語や、各種携帯電話事業者の携帯電話において使用可能なＣ-ＨＴＭＬ形式や、ＨＤＭＬ形式、ＭＭＬ形式にて記述され、各プラットホームにおいて動作するブラウザソフトを用いて情報の閲覧、入力が実施できるホームページ形式のＷＷＷ（ワールドワイドウェッブ）データが記憶されており、これらＷＷＷ（ワールドワイドウェッブ）データと前記配信処理を行う処理プログラムとが協調して各種の受付処理等を実施するようになっている。
【００１６】
また、本実施例のユーザー情報データベースには、図１１に示すように、サーバコンピュータ１にて提供されるパーラー情報サイトにおいて、ログインを可能とするために会員登録した各アクセス利用者に固有に付与された会員ＩＤに対応付けて、各会員の電子メールアドレスやパスワードや、会員登録時に受付けた氏名等の個人情報が記憶されていて、パーラー情報サイトへのログイン時に、アクセス利用者から会員ＩＤとパスワードとを受付けて、ユーザー情報データベースに記憶されている会員ＩＤとパスワードとを照合することで、アクセス利用者を会員登録した会員であるか否かを判定して、会員登録した会員のみがパーラー情報サイトにログインできるようになっている。
【００１７】
次いで、本発明のホームページ作成システムを成す本実施例に用いたホームページ作成コンピュータ５について説明すると、本実施例のホームページ作成コンピュータ５は、図２に示すように、コンピュ−タ内部にてデ−タの送受を行うデ−タバス５０に、モニタ等の表示装置５４や、キーボードやマウス等の入力装置５６や、該ホームページ作成コンピュータ５が実施するサイト用ホームページの作成処理等の各種処理を実施する中央演算処理装置（ＣＰＵ）５１や、該ＣＰＵ５１が行う各処理に使用されるメモリとして使用されるＲＡＭ５２や、現在の時刻情報や任意の年月日の曜日等のカレンダ−情報を出力可能なリアルタイムクロック（ＲＴＣ）５７と、前記通信装置２に接続されて各遊技場のホームページを配信するコンピュータ６やウエブサーバ９やサーバコンピュータ１とのデータの送受信を行う通信インターフェイス５３と、磁気ディスクや光磁気ディスクから成り、各遊技場のホームページから各携帯電話事業者の携帯電話において使用可能な形式のサイト用ホームページを作成するためのページ作成プログラムや、該作成されたサイト用ホームページをサーバコンピュータ１に配信可能にアップロードするためのアップロードプログラムや、サーバコンピュータ１のパーラー情報サイトにおいて遊技場情報が公開される各遊技場の名称や住所や当該遊技場のホームページのＵＲＬアドレス（Uniform Resource Locator）等が記憶された遊技場データベースや、各遊技場のホームページから抽出した遊技場情報を挿入してサイト用ホームページを作成するための各項目の共通ページデータファイルへのパスデータが、通常のＨＴＭＬデータ並びに各携帯電話事業者（会社）別に記憶された図１３に示す共通ページデータテーブルとが記憶された記憶装置５５と、が接続された比較的高速の演算処理が可能なコンピュ−タとされている。
【００１８】
記憶装置５５に記憶されている本実施例１の遊技場データベースには、図１２に示すように、前記サーバコンピュータ１にて提供されるパーラー情報サイトにおいて遊技場情報を公開するために提供センサーと契約した各遊技場の遊技場名と、当該遊技場の所在地とが記憶されているとともに、パーラー情報サイトにおいて各遊技場の遊技場情報をアクセス利用者に提供する際の各項目毎に、各項目に対応する当該遊技場の情報の取得先となる、該項目に対応する該遊技場の情報を含む該遊技場のホームページのＵＲＬアドレスが記憶される取得先ＵＲＬと、該取得先ＵＲＬのＵＲＬアドレスからホームページのソースデータを取得する時期が記憶される取得時期とが設けられているとともに、前記各項目には、該項目に含まれるサブ項目と、当該サブ項目に対応付けて遊技場情報となるテキストを抽出するタグ間を特定するための項目キーワード並びに抽出したテキストの最低文字数と、抽出したテキストが最低文字数未満であるときに新たに抽出対象とするタグ間を特定するための配置関係とが設けられており、これら遊技場データベースに記憶内容としては、図１４並びに図１５に示す遊技場登録変更設定画面並びにお店紹介項目キーワード設定画面等の各キーワード設定画面において入力された各情報が記憶（登録）されるようになっている。
【００１９】
具体的には、図１４に示す遊技場登録変更設定画面における遊技場名が遊技場データベースの遊技場名に、遊技場登録変更設定画面における住所が遊技場データベースの所在地に、遊技場登録変更設定画面におけるお店紹介項目情報取得先ＵＲＬ並びに対応する取得時期が、遊技場データベースのお店紹介の項目に対応する取得先ＵＲＬ並びに取得時期に、遊技場登録変更設定画面におけるパチンコ設定機種項目情報取得先ＵＲＬ並びに対応する取得時期が、遊技場登録変更設定画面における出玉ベスト１０項目情報取得先ＵＲＬ並びに対応する取得時期が、遊技場データベースの出玉ベスト１０の項目に対応する取得先ＵＲＬ並びに取得時期に、遊技場データベースのＰ設定機種の項目に対応する取得先ＵＲＬ並びに取得時期に、遊技場登録変更設定画面におけるスロット設定機種項目情報取得先ＵＲＬ並びに対応する取得時期が、遊技場データベースのＳ設定機種の項目に対応する取得先ＵＲＬ並びに取得時期に、それぞれ記憶され、これら遊技場データベースの取得時期に基づいて、対応する取得先ＵＲＬのホームページのソースデータが取得（ダウンロード）されて、該取得（ダウンロード）されたソースデータに基づいてパーラー情報サイトにて配信されるサイト用ホームページが新たに作成されて、古いサイト用ホームページが新たなサイト用ホームページに更新されるようになっている。尚、本実施例１の図１２に示す遊技場データベースの遊技場名「ホール○△」においては、図１４に示す遊技場登録変更設定画面にて、出玉ベスト１０の遊技場情報をパーラー情報サイトにおいては公開しないようにするために、出玉ベスト１０項目情報取得先ＵＲＬが入力されていないことに基づいて、これら出玉ベスト１０の項目に関する登録がなされていないものとなっている。
【００２０】
また、図１４に示す遊技場登録変更設定画面にて、お店紹介項目情報取得先ＵＲＬに対応して設けられているキーワード設定の選択入力部を選択することで表示装置５４に表示される図１５に示すお店紹介項目キーワード設定画面にて各サブ項目に対応して設けられている項目キーワード入力部に入力されたキーワードが、遊技場データベースの当該サブ項目に対応するキーワードとして記憶されるとともに、各キーワードに対応する最低文字数入力部並びに配置関係入力部に選択入力された最低文字数や配置関係が、キーワードに対応付けて遊技場データベースの最低文字数並びに配置関係として登録（記憶）される。尚、お店紹介項目以外のその他の各項目についても、図示は省略するが、お店紹介項目と同様とされている。
【００２１】
また、記憶装置５５に記憶されている本実施例１の共通ページデータテーブルには、図１３に示すように、パーラー情報サイトにおいて遊技場情報を提供する各項目毎に、当該項目に該当する各遊技場情報の取得先して設定されている各遊技場のホームページから抽出した遊技場情報を挿入してサイト用ホームページを作成するための共通ページデータファイルへのパスデータが、通常のＨＴＭＬデータ並びに各携帯電話事業者（会社）毎に記憶されており、これら各ファイルは、通常のＨＴＭＬデータ形式並びに各携帯電話事業者（会社）に対応するデータ形式で記述されたファイルとされていて、該共通ページデータテーブル並びに記憶装置５５によって本発明における共通ホームページデータ記憶手段が形成されている。
【００２２】
この共通ページデータの内容としたは、図１３に一例を示すように、パーラー情報サイトにおいて配信される各遊技場のサイト用ホームぺージ（図８参照）の内、各遊技場に共通する部分となる遊技場情報の項目（サブ項目）を含むものとされており、これら各項目の共通ページデータ内に、当該項目に対応する項目キーワード或いは、サブ項目に対応する項目キーワードにて抽出されたテキスト（遊技場情報）が、後述するサイト用ホームページ作成処理によって挿入されることでサイト用ホームぺージが作成される。
【００２３】
また、本実施例のホームページ作成コンピュータ５のＣＰＵ５１は、パーラー情報サイトにおいて遊技場情報を新たに公開する遊技場を設定するために、所定の操作がなされることに基づいて、図１４に示す遊技場登録変更設定画面を表示装置５４に表示して、遊技場情報を新たに公開する遊技場の遊技場名の入力や、パーラー情報サイトにおける遊技場情報の各項目に対応する該遊技場が独自に公開しているホームページのＵＲＬアドレスや取得時期の設定を受付けて、前記遊技場データベースに記憶（登録）する遊技場登録変更受付け設定処理を実施する。すなわち、該遊技場登録変更受付け設定処理によって各遊技場（店舗）のホームページアドレスを入力する入力手段が形成されている。尚、該遊技場登録変更受付け設定処理における図１４に示す遊技場登録変更設定画面では、遊技場がパーラー情報サイトにおいては公開したくない項目の取得先ＵＲＬを入力しないようにすることで、前述の遊技場名「ホール○△」における図１２に示す遊技場データベースの登録状況のように、該入力されなかった項目の登録をＣＰＵ５１が遊技場データベースに実施しないようになっており、よって該遊技場登録変更受付け設定処理によって本発明における公開項目設定手段が形成されている。
【００２４】
また、本実施例のホームページ作成コンピュータ５のＣＰＵ５１は、図１４に示す遊技場登録変更設定画面に各項目に対応して設けられた「キーワード設定」の選択入力部の選択操作に基づいて、例えば図１５に示す各項目、具体的にはお店紹介項目に対応するお店紹介項目キーワード設定画面を表示装置５４に表示して、該項目或いは当該項目に含まれるサブ項目に対応して、これら項目或いはサブ項目の遊技場情報となるテキストを抽出するタグ間を特定するための、つまり総合サイトであるパーラー情報サイトにおいて提供する遊技場情報（店舗情報）の項目に対応する項目キーワードや、該抽出されたテキストが良好に所望する遊技場情報を含んでいるかを判断するための、つまり、前記項目キーワードが存在するタグ間に当該項目キーワードとともに含まれる文字情報の最低文字数と、該抽出されたテキストが最低文字数に満たないときに新たに抽出対象とするタグ間を特定するための配置関係の設定を受付けて、前記遊技場データベースに記憶（登録）する項目キーワード設定処理を実施し、該項目キーワード設定処理によって本発明におけるキーワード設定手段、最低文字数設定手段、配置関係設定手段とが形成されている。尚、これら各項目の項目キーワード設定画面においては、サブ項目に対応する項目キーワードを入力しなければ、図１２に示す遊技場データベースに登録されないことから、これら各項目の項目キーワード設定画面も本発明における公開項目設定手段に相当する。
【００２５】
また、本実施例のホームページ作成コンピュータ５のＣＰＵ５１は、前記遊技場登録変更受付け設定処理にて遊技場データベースに記憶（登録）された取得時期に基づいて、該取得時期に対応して遊技場データベースに記憶されている公開対象とする各項目のＵＲＬアドレスのホームページのソースデータを取得（ダウンロード）するホームページデータ取得処理を実施し、該ホームページデータ取得処理によって本発明のホームページデータ取得手段が形成されている。
【００２６】
また、本実施例のホームページ作成コンピュータ５のＣＰＵ５１は、前記ホームページデータ取得処理にて取得した公開対象とする各項目のホームページのソースデータ（ホームページデータ）を、前記項目キーワード設定処理によって設定された当該ソースデータ（ホームページデータ）に該当する項目（サブ項目）の項目キーワードで検索し、当該項目キーワードが存在するときに、該ホームページデータ中の当該項目キーワードが存在するタグ間に、当該項目キーワードとともに含まれる文字情報（テキスト）を抽出する抽出処理を実施し、該抽出処理によって本発明における抽出手段が形成されている。
【００２７】
尚、本実施例のホームページ作成コンピュータ５のＣＰＵ５１は、前記抽出処理において、抽出した文字情報（テキスト）の文字数が前記項目キーワード設定処理にて当該抽出処理に用いた項目キーワードに対して設定されている最低文字数未満であるときに、前記項目キーワード設定処理にて当該遊技場に対して独自に、且つ該項目キーワードに対して設定されている配置関係から、新たに抽出対象とするタグ間を特定して、当該新たなタグ間に存在する文字情報を抽出する。
【００２８】
また、これら抽出処理においては、図１４、図１５で入力されなかった項目、サブ項目については、図１２に示す遊技場データベースに登録（記憶）されないことから、当該項目、サブ項目に対応するキーワードでは検索・抽出が実施されない。すなわち、入力設定された項目キーワードで検索・抽出を行う。
【００２９】
また、本実施例のホームページ作成コンピュータ５のＣＰＵ５１は、前記抽出処理にて抽出した文字情報（テキスト）を該抽出に用いた項目キーワードの項目（サブ項目）に対応する遊技場情報として、当該項目キーワードが対応する項目に対応付けて前記共通ページデータテーブルに記憶されている各携帯電話事業者（会社）のファイルパスから特定される各携帯電話事業者（会社）用の共通ページデータ（共通ホームページ）に挿入することによりサイト用ホームページを作成するサイト用ホームページ作成処理を実施し、該サイト用ホームページ作成処理によって本発明におけるホームページ作成手段が形成されている。
【００３０】
また、本実施例のホームページ作成コンピュータ５のＣＰＵ５１は、前記遊技場データベースに各遊技場の遊技場名に対応付けて記憶されている所在地の内容に基づいて、パーラー情報サイトにおける店舗検索の検索結果となる、所定地域内に存在する遊技場の遊技場名が一覧表示される遊技場名一覧ページを作成する遊技場名一覧ページ作成処理を実施する。
【００３１】
また、本実施例のホームページ作成コンピュータ５のＣＰＵ５１は、前記遊技場名一覧ページ作成処理にて作成された遊技場名一覧ページの各遊技場名に、パーラー情報サイトにおいて該遊技場名を選択したときに表示される項目一覧ページをリンク付けするとともに、該リンク付けされた項目一覧ページの各項目に対して、前記サイト用ホームページ作成処理にて作成した該項目に対応するサイト用ホームページをリンク付けするリンク付け処理を実施する。
【００３２】
また、本実施例のホームページ作成コンピュータ５のＣＰＵ５１は、前記遊技場名一覧ページ作成処理にて作成された遊技場名一覧ページ、該遊技場名一覧ページに前記リンク付け処理によってリンク付けされた項目一覧ページ、該項目一覧ページにリンク付けされたサイト用ホームページ並びに、これらリンク付けされた遊技場名一覧ページ、項目一覧ページ並びにサイト用ホームページを前記ページデータ記憶領域に配信可能に記憶（登録）することを要求する登録要求とをサーバコンピュータ１に対して送信する登録要求送信処理を実施し、該登録要求送信処理によって本発明における登録要求送信手段が形成されている。
【００３３】
以下、遊技場、例えばパーラー○△が新たにパーラー情報サイトにて自店の遊技場の情報を公開する場合の流れについて説明する。尚、該遊技場（パーラー○△）は、自店に設置しているコンピュータ６にて、図９並びに図１０に示すような、既に通常のパソコン用となるＨＴＭＬデータ形式の独自のホームページを公開しており、この遊技場独自のホームページにアクセスした場合には、図９に示すトップページが、コンピュータ６から例えばノートパソコン４に配信されて表示されるようになっているとともに、該トップページの下部位置には、遊技場内のレイアウトの情報を閲覧するときに選択入力する「店内レイアウト」の項目や、該遊技場（パーラー○△）の店舗情報を閲覧するときに選択入力する「店舗情報」の項目や、該遊技場に設置されているパチンコ機の機種情報を閲覧するときに選択入力する「パチンコ設置台情報」の項目や、該遊技場に設置されているスロットマシンの機種情報を閲覧するときに選択入力する「スロット設置台情報」の項目や、遊技場（パーラー○△）のイベントに関する情報を閲覧するときに選択入力する「イベント情報」の項目や、昨日や最近一週間における出玉情報（ランキング）を閲覧するときに選択入力する「出玉トップ１０」の項目が設けられており、例えば「店舗情報」の項目を選択入力した場合には、図１０に示すように、該遊技場（パーラー○△）の住所や電話番号、営業時間等の各種情報を含む店舗情報ページが配信される。尚、この店舗情報ページのソースデータは、図１０（ｂ）に示すように記述されている。
【００３４】
また、この遊技場（パーラー○△）は、ＨＴＭＬデータ形式の独自のホームページしか公開しておらず、この場合、携帯電話３から該遊技場のホームページを良好に閲覧することはできない。
【００３５】
このため、遊技場（パーラー○△）が提供センターを運営する企業と契約して、パーラー情報サイトにて自店の遊技場の情報を公開する場合には、これら自店が公開しているホームページの各ページのＵＲＬアドレスを該提供センターに通知することで、提供センターに設置されている前記ホームページ作成コンピュータ５に、遊技場名やＵＲＬアドレス等が登録される。
【００３６】
具体的には、契約の成立後のホームページ作成コンピュータ５において所定の操作を実施して表示装置５４に、図１４に示す遊技場登録変更設定画面を表示させて、該遊技場登録変更設定画面内の各項目へ情報を入力する。
【００３７】
この本実施例の遊技場登録変更設定画面には、図１４に示すように、遊技場名を入力するための遊技場名の入力部と、住所を入力するための住所入力部と、後述する項目一覧ページにおけるお店紹介項目にリンク付けされるお店紹介ページの作成元となる遊技場独自のホームページのＵＲＬアドレス、例えば当該遊技場（パーラー○△）のホームページにおける前記「店舗情報」の項目を選択入力した際に配信される図１０に示す店舗情報ページのＵＲＬアドレスを入力するためのお店紹介項目情報取得先ＵＲＬ入力部と、後述する項目一覧ページにおける出玉ベスト１０項目にリンク付けされる出玉ベスト１０ページの作成元となる遊技場独自のホームページのＵＲＬアドレス、例えば、当該遊技場（パーラー○△）のホームページにおける前記「出玉情報」の項目を選択入力した際に配信される出玉情報ページのＵＲＬアドレスを入力するための出玉ベスト１０項目情報取得先ＵＲＬ入力部、後述する項目一覧ページにおけるパチンコ設定機種項目にリンク付けされるパチンコ設定機種ページの作成元となる遊技場独自のホームページのＵＲＬアドレス、例えば当該遊技場（パーラー○△）のホームページにおける前記「パチンコ設置台情報」の項目を選択入力した際に配信されるパチンコ設置台情報ページのＵＲＬアドレスを入力するためのパチンコ設定機種項目情報取得先ＵＲＬ入力部と、後述する項目一覧ページにおけるスロット設定機種項目にリンク付けされるスロット設定機種ページの作成元となる遊技場独自のホームページのＵＲＬアドレス、例えば当該遊技場（パーラー○△）のホームページにおける前記「スロット設置台情報」の項目を選択入力した際に配信されるスロット設置台情報ページのＵＲＬアドレスを入力するためのスロット設定機種項目情報取得先ＵＲＬ入力部と、…等が設けられているとともに、前記各取得先ＵＲＬ入力部に対応付けて該取得先ＵＲＬ入力部に入力されたＵＲＬアドレスからホームページのソースデータを取得する時期を選択入力するための取得時期の選択設定部と、各項目毎に設けられ、各項目の項目キーワードや最低文字数や配置関係を設定するための各項目キーワード設定画面を表示させる「キーワード設定」の選択入力部が設けられている。
【００３８】
この遊技場登録変更設定画面においては、項目一覧ページにおける各項目に該当する各取得先ＵＲＬ入力部に全てＵＲＬアドレスを入力する必要はなく、遊技場がホームページにて公開している情報に該当する情報が無い場合、例えばスロットマシンを設置していない遊技場であれば、スロット設定機種項目情報取得先ＵＲＬ入力部への入力を行う必要はないし、更には、出玉情報となる出玉トップ１０に関しては遊技場独自のホームページでのみ公開したい場合で、パーラー情報サイトにては公開したくない等の遊技場の要望がある場合には、遊技場がホームページにて公開している情報に該当するページがある場合であっても、該当する取得先ＵＲＬ入力部にＵＲＬアドレスを入力しないことで、当該項目である出玉ベスト１０の項目が遊技場データベースの項目に登録されないことで、該項目に対応するサイト用ホームページが作成されることがなく、よって遊技場の公開、非公開の要望に答えることができるようになっている。
【００３９】
また、取得時期の選択設定部には、パーラー情報サイトにて情報を公開した後において、該公開する情報を、遊技場独自のホームページから取得して更新するタイミングを設定するようになっており、これらの更新タイミングは、店舗情報等はそれほど頻繁に変更が生じるものではないので、お店紹介項目情報取得先ＵＲＬに対応する取得時期としては、更新するタイミングとして一ヶ月に１回、月始め等に実施するように設定し、逆に、出玉情報等は毎日情報が更新されるので、出玉ベスト１０項目情報取得先ＵＲＬに対応する取得時期としては、更新するタイミングとして毎日実施するように設定すれば良く、このように、各情報の項目に対応する取得先のＵＲＬアドレス毎に取得時期を個別に設定することで、不必要なホームページデータの取得や、不必要に更新のない同一のサイト用ホームページが作成されてしまうことによる無駄を極力少なくすることができるようになる。
【００４０】
更に、これら各入力部への入力を実施した後に、該入力（設定）した項目の項目キーワードを設定するために、該項目、例えばお店紹介に対応する「キーワード設定」の選択入力部を選択することで、図１５に示すお店紹介項目キーワード設定画面が表示され、該お店紹介項目キーワード設定画面において、該項目であるお店紹介に対応するサイト用ホームページの作成元となる当該遊技場（パーラー○△）の店舗情報ページ（図１０）を参照して、抽出対象とする遊技場情報が含まれるタグ間を特定するための項目キーワードを、各サブ項目毎に設定するとともに、該項目キーワードに対応する最低文字数と配置関係を店舗情報ページ（図１０）を参照して設定する。
【００４１】
具体的には、開店情報であれば、図１０に示すパーラー○△の店舗情報ページの開店に関する情報の表記として「開店情報」が用いられているので項目キーワードとしては「開店情報」を設定すれば良く、そして該「開店情報」の項目キーワードに対応する最低文字数としては、開店情報であれば「何月何日」という開店する日付の記述が必ずされているはずであり、図１０に示すパーラー○△の店舗情報ページも「４月１５日」の日付の記述を含むことから、該日付の文字情報（テキスト）が上手く抽出されているか否かを判定するためには、少なくとも「何月何日」の４文字以上のテキストが抽出されていないと、開店情報が上手く抽出できていないこととなることから、これら開店情報に対応する最低文字数として例えば４文字を設定するとともに、パーラー○△の店舗情報ページにおいては、開店情報（日付等）の記述が項目キーワードとする「開店情報」の表示の下方行に表示されているので、配置関係として「下方行（＜／ＴＲ＞＜ＴＲ＞）を設定すれば良い。
【００４２】
尚、例えば作成元となるパーラー○△の店舗情報ページの開店に関する情報の表記として「４月２０日１２時、新装オープン」と表記されている場合であれば、項目キーワードとしては例えば「新装オープン」を設定し、最低文字数は同様に４文字を選択設定し、配置関係として「同一行（＜ＴＲ＞）を設定すれば良い。
【００４３】
これらサブ項目である開店情報と同様に、順次各サブ項目、具体的には、住所、交通、電話、営業時間、営業形態、交換率、定休日、台数、駐車場の各サブ項目の項目キーワード並びに最低文字数と配置関係とを、図１０に示すパーラー○△の店舗情報ページを参照して設定した後、該お店紹介項目キーワード設定画面の下方に設けられている設定の選択入力部を選択入力することで、該お店紹介項目キーワード設定画面が閉じて前記遊技場登録変更設定画面に戻り、該遊技場登録変更設定画面の下方に設けられている「登録」の選択入力部を選択入力することで、該遊技場登録変更設定画面にて入力或いは選択された設定内容並びに各項目キーワード設定画面（お店紹介項目キーワード設定画面）にて入力或いは選択された設定内容が、前記遊技場データベースに遊技場名に対応付けて記憶される。尚、これらサブ項目に関しても、全てのサブ項目を入力する必要はなく、遊技場が公開したいサブ項目だけ入力すれば良く、入力されなければ検索・抽出が実施されないため、これらサブ項目に対応する遊技場情報も公開されない。
【００４４】
この遊技場データベースへの登録に基づいて、前記ＣＰＵ５１は、図１６のフロー図に示すＳ１〜Ｓ１６の処理を実施することで、該新たに登録された遊技場名に対応付けて遊技場データベースに登録（記憶）された各項目のＵＲＬアドレスのホームページに基づいて、各項目に該当するサイト用ホームページを作成する。
【００４５】
具体的には、遊技場データベースに新たに登録された遊技場が該当する遊技場名一覧ページを当該遊技場の住所から特定（例えば、パーラー○△であれば渋谷区の遊技場名一覧ページが該当する）し、該特定した遊技場一覧ページに当該遊技場名を加えた新たな遊技場一覧ページを作成する（Ｓ１）。
【００４６】
そして、Ｓ２に進んで、該遊技場名に対応して遊技場データベースにＵＲＬアドレスが記憶されている項目名、例えばパーラー○△であれば、出玉ベスト１０以外の全ての項目を特定し、該項目名が一覧表示されている項目一覧ページ（図７参照）を作成、該作成した項目一覧ページを、Ｓ１にて作成した新たな遊技場一覧ページの当該遊技場名にリンク付けする。
【００４７】
尚、これら遊技場一覧ページや項目一覧ページとしては、後述するサイト用ホームページと同様に、通常のＨＴＭＬ形式とともに、各種携帯電話事業者の携帯電話において使用可能な各データ形式（Ｃ-ＨＴＭＬ形式、ＨＤＭＬ形式、ＭＭＬ形式）の各ページが作成される。
【００４８】
そして、Ｓ３に進んで、Ｓ２にて特定した各項目のＵＲＬアドレス（取得先ＵＲＬ）のホームページのソースデータを、前記コンピュータ６から取得（ダウンロード）する。
【００４９】
そして、Ｓ４に進み、前記特定した項目、例えばお店紹介の項目であれば、前記共通ページデータデータテーブルに、当該お店紹介に対応付けて記憶されているパスデータから、通常のＨＴＭＬ形式並びに各携帯電話事業者（会社）のデータ形式に対応した共通ページデータファイルを特定するとともに、該特定した各共通ページ内の店舗名称に該当する部位に、当該遊技場の遊技場名を置き換え挿入する。
【００５０】
そして、Ｓ５に進み、前記取得した各項目のＵＲＬアドレスのソースデータの内、該項目である例えばお店紹介に対応するＵＲＬアドレスから取得したソースデータを、当該項目であるお店紹介に対応付けて遊技場データベースに記憶されている項目キーワード、例えば「開店情報」の項目キーワードにて検索する。
【００５１】
そして、該「開店情報」の項目キーワードが取得したソースデータ中に存在するか否かを判定し（Ｓ６）、該「開店情報」の項目キーワードが存在する場合にはＳ７に進んで、該項目キーワードが存在するタグ間、例えばパーラー○△であれば、取得したソースデータである図１０に示す店舗情報ページのソースデータにおいて、開店情報が存在する＜ＴＨ＞開店情報＜／ＴＨ＞の＜ＴＨ＞タグ間を抽出対象に設定し、該抽出対象としたタグ間に存在する開店情報以外の文字情報であるキャラクタを抽出する（実際には抽出キャラクタ数は０）とともに、Ｓ８に進んで、抽出キャラクタ数が、該「開店情報」の項目キーワードに対応して遊技場データベースに記憶されている最低文字数である４文字未満であるか否かを判定する。
【００５２】
該Ｓ８の判定において、該「開店情報」の項目キーワードの場合には、抽出キャラクタ数が０であるために最低文字数である４文字未満であることから抽出キャラクタ数が最低文字数未満であり、遊技場情報の抽出が良好になされていないと判定されてＳ９に進み、当該遊技場の該「開店情報」の項目キーワードに対応して遊技場データベースに記憶されている配置関係である下方行に基づいて新たな抽出対象とするタグ間を特定、具体的には、行の終わりを示す＜／ＴＲ＞タグの次の＜ＴＲ＞から始まり次の＜／ＴＲ＞タグまでのタグ間を新たな抽出対象として特定し、新たな抽出対象とする＜ＴＲ＞＜／ＴＲ＞タグ間に存在するタグ以外のキャラクタ、具体的には「４月１５日（木）昼１１時リニューアルオープン！！」を抽出する。
【００５３】
そして、Ｓ１０に進んで、Ｓ９にて抽出したキャラクタ「４月１５日（木）昼１１時リニューアルオープン！！」を、該「開店情報」の項目キーワードに対応するサブ項目である開店情報に対応する前記Ｓ４にて特定した各携帯電話事業者（会社）のデータ形式の各共通ページ中の該当部位となる”開店情報”の部位に置き換え挿入する。具体的には、図１３に示すソースデータ中の「”  ”」で囲まれた「開店情報」の文字を、抽出した「４月１５日（木）昼１１時リニューアルオープン！！」に置き換え挿入する。
【００５４】
尚、Ｓ８の判定において抽出キャラクタ数が最低文字数未満ではない、つまりは抽出キャラクタ数が最低文字数以上である場合には、前記Ｓ９を実施せずに、前記Ｓ７にて抽出したキャラクタを、当該項目キーワードに対応する項目或いはサブ項目に対応する各携帯電話事業者（会社）のデータ形式の各共通ページ中の該当部位に置き換え挿入する。
【００５５】
そして、これら抽出したキャラクタの各共通ページへの挿入を実施した後、或いは、前記Ｓ６の判定にて項目キーワードがソースデータ中に存在しないと判定された場合には、Ｓ１１に進んで、当該項目、例えばお店紹介の項目に対応する全ての項目キーワードを検索済みかを判定し、全ての項目キーワードを検索済みではない場合には、Ｓ１２に進んで、次の項目キーワード、具体的には、「開店情報」の項目キーワードに続く項目キーワードである「住所」の項目キーワードを特定し、同じ図１０に示す店舗情報ページのソースデータを該特定した項目キーワードである「住所」にて検索し、再度Ｓ６に戻って、Ｓ６〜Ｓ１２の処理を繰返し実施することで、お店紹介の項目に対応する各項目キーワード、具体的には、「住所」、「交通」、「電話」、「営業時間」、「営業形態」、「交換率」、「定休日」、「台数」、「駐車場」の各項目キーワードによる検索と抽出並びに共通ページへの挿入が順次実施されていき、各共通ページが、例えば携帯電話事業者（会社）Ａであれば図８に示すようなＣ−ＨＴＭＬ形式のソースデータとされ、全ての項目キーワードが検索済みとなった場合に、前記Ｓ１１において「Ｙｅｓ」として判定されてＳ１３に進むことで、このようにして各項目キーワードに基づいて抽出された抽出キャラクタが挿入された各データ形式の共通ページをサイト用ホームページとして確定する。
【００５６】
そして、Ｓ１４に進んで、該確定した各携帯電話事業者（会社）に対応した形式のサイト用ホームページのソースデータを、各携帯電話事業者（会社）に対応した形式の当該項目の項目一覧ページの表示に対してリンク付けを実施するとともに、Ｓ１５に進んで、前記Ｓ３にて取得した全てのソースデータ、つまりは全ての項目に対応するソースデータを処理済みであるかを判定し、該判定により全ての項目が処理済みでない場合には、Ｓ５に戻って、再度Ｓ５〜Ｓ１５の処理を実施することで、順次未処理の項目、具体的には、「パチンコ設置機種」、「スロット設置機種」、…の各項目に対応するサイト用ホームページが作成される。
【００５７】
そして、Ｓ３にて取得した全てのソースデータ、つまりは全ての項目に対応するソースデータを処理済みとなった場合には、Ｓ１５にて「Ｙｅｓ」として判定されてＳ１６に進むことで、遊技場一覧ページ（各データ形式）の当該遊技場名にリンク付けされた項目一覧ページ（各データ形式）と、該項目一覧ページの各項目の表示にリンク付けされた当該項目に対応する各データ形式のサイト用ホームページ（ソースデータ）と、これらリンク付けされた遊技場名一覧ページ、項目一覧ページ並びにサイト用ホームページを前記ページデータ記憶領域に配信可能に記憶（登録）することを要求する登録要求とをアップロードプログラムによりサーバコンピュータ１に送信（アップロード）することで、サーバコンピュータ１がページデータ記憶領域に記憶されている各ページデータを更新することで、該アップロードされた各ページが、パーラー情報サイトにて公開されるようになる。
【００５８】
以下、これらアップロードされた各ページがパーラー情報サイトにて配信される流れについて説明すると、アクセス利用者が本実施例のサーバコンピュータ１にアクセスした際におけるサーバコンピュータ１の処理状況について、図３に基づき説明する。尚、以下の説明においては、アクセス利用者が携帯電話３を使用してアクセスした場合を例に説明する。
【００５９】
まず、アクセス利用者がサーバコンピュータ１にて提供されるパーラー情報サイトのＵＲＬアドレスにアクセスした場合には、サーバコンピュータ１においては、該アクセスによりアクセス利用者の携帯電話３から送信されるＨＴＴＰリクエストのヘッダに含まれる携帯電話３に該当する携帯電話事業者の情報を特定し、該特定した携帯電話事業者に対応するデータ形式のパーラー情報サイトのトップページを携帯電話３に配信することで、図４に示す如く、パーラー情報サイトのトップページが携帯電話３に表示される。
【００６０】
本実施例では、これらトップページに、図４に示すように、利用者が遊技場の情報を入手したい場合に選択する「パーラー情報」の選択入力部と、アクセス利用者が会員登録した登録会員でない場合に会員登録を行う際に選択入力する「ユーザー登録」の選択入力部と、アクセス利用者がサイトの利用方法を閲覧する際に選択入力する「利用方法」の選択入力部が設けられている。
【００６１】
アクセス利用者が登録会員でない場合には、「ユーザー登録」の選択入力部を選択することで配信されるユーザー登録ページにて、氏名等の個人情報やパスワードを入力した後、登録を申し込むことで、サーバコンピュータ１は、新たな会員ＩＤを発行するとともに、該発行した新たな会員ＩＤに対応付けて、該ユーザー登録ページにて受付けたアクセス利用者のパスワードや個人情報を、前記ユーザー情報データベースに登録した後、該発行した会員ＩＤをアクセス利用者に通知する通知ページを携帯電話３に配信して、ログインに必要となる会員ＩＤをアクセス利用者に通知する（図３参照）。
【００６２】
このようにして会員ＩＤの通知を受けて登録会員となったアクセス利用者が希望する区域、例えば渋谷区にある遊技場の情報を入手したい場合には、前記トップページに戻って「パーラー情報」の選択入力部を入力する。
【００６３】
該「パーラー情報」の選択入力によって携帯電話３から送信されるＨＴＴＰリクエストの受信に基づいてサーバコンピュータ１は、図示しない認証ページを携帯電話３に配信して、会員ＩＤとパスワードの受付けを実施し（図３参照）、該認証ページにて受付けたパスワードと会員ＩＤとが、前記ユーザー情報データベースに該受付けた会員ＩＤに対応して登録（記憶）されているパスワードと一致するかに基づいて、アクセス利用者が登録会員であるか否かの認証を実施し、パスワードが一致したことに基づいて図５に示す検索ページを配信して、検索内容の受付けを実施する。
【００６４】
この本実施例の検索ページには、図５に示すように、都市、例えば東京等を一覧から選択指定するための都市入力のポップアップウインドウと、地域、例えば新宿区や渋谷区等の区を選択指定するための地域入力のポップアップウインドウとを有しており、例えばアクセス利用者が、前述したように東京の渋谷区内の遊技場の情報を入手したい場合には、前記都市入力のポップアップウインドウから東京を選択指定するとともに、該東京を選択指定した後に地域入力のポップアップウインドウに一覧表示される東京の各区並びに市名から渋谷区を選択するとともに、検索ページの下方に設けられている「検索」の選択入力部を選択入力する。
【００６５】
前記「検索」の選択入力部の選択入力によって携帯電話３から送信される選択された都市である「東京」と、選択された地域である「渋谷区」を含むＨＴＴＰリクエストの受信に基づいてサーバコンピュータ１は、前記ホームページ作成コンピュータ５によってアップロードされて前記ページデータ記憶領域に記憶されている遊技場名一覧ページの内、当該受信したＨＴＴＰリクエストに含まれる「東京」と「渋谷区」とに対応するとともに、該ＨＴＴＰリクエストのヘッダに含まれる携帯電話３の携帯電話事業者に対応するデータ形式の遊技場名一覧ページを特定し、該特定した遊技場名一覧ページを携帯電話３に配信することで、該配信された遊技場名一覧ページが図６に示すように表示される。尚、本実施例では、遊技場名一覧ページを１ページのように図示しているが、本発明はこれに限定されるものではなく、一覧表示する遊技場名が多い場合等にあっては、これら遊技場名一覧ページを複数のページとしても良い。
【００６６】
これら一覧表示された遊技場名の中から、アクセス利用者は、情報を入手したい遊技場を選択した後、該遊技場名一覧ページの下方に設けられている図示しない「決定」の選択入力部を選択入力することで、該選択入力によって該選択された遊技場名に対して前記ホームページ作成コンピュータ５によってリンク付けされたページである項目一覧ページの配信を要求するＨＴＴＰリクエストが携帯電話３から送信され、該ＨＴＴＰリクエストの受信に基づいてサーバコンピュータ１は、該受信したＨＴＴＰリクエストにて配信要求された項目一覧ページを携帯電話３に配信することで、該配信された項目一覧ページが携帯電話３に図７に示すように表示される。
【００６７】
この項目一覧ページに表示された項目の中から、アクセス利用者は、入手したい情報の項目、例えば遊技場の場所や営業時間等の情報を入手したい場合には「お店紹介」の項目を選択する。尚、パチンコの設置機種の情報を知りたい時には「パチンコ設置機種」、スロットマシンの設置機種の情報を知りたい時には「スロット設置機種」、出玉状況の情報を知りたい時には「出玉ベスト１０」…等のように選択すれば良い。
【００６８】
この「お店紹介」の項目を選択した後、該項目一覧ページの下方に設けられている図示しない「決定」の選択入力部を選択入力することで、該選択入力によって該選択された項目である「お店紹介」に対して前記ホームページ作成コンピュータ５によってリンク付けされたページであるお店紹介ページの配信を要求するＨＴＴＰリクエストが携帯電話３から送信され、該ＨＴＴＰリクエストの受信に基づいてサーバコンピュータ１は、該受信したＨＴＴＰリクエストにて配信要求されたお店紹介ページを携帯電話３に配信することで、該配信されたお店紹介ページが携帯電話３に図８に示すように表示されることで、アクセス利用者は、所望する渋谷区内の遊技場に関する店舗情報となる遊技場情報を入手できる。
【００６９】
このようにしてパーラー情報サイトにおいて遊技場情報が公開されて時間が経過した際、例えば約１ヶ月が経過して翌月の１日となった場合には、図１６のＳ１７に示すように、前記遊技場データベースに記憶されている取得時期のデータから、その当日において更新対象となる項目のＵＲＬアドレス、具体的には、取得時期のデータとして「毎月１日」が記憶されている「お店紹介」の項目に対応するＵＲＬアドレス、例えば、パーラー○△の場合であれば、当該パーラー○△のホームページにおける店舗情報ページのＵＲＬアドレスが特定され、該特定されたＵＲＬアドレスに基づいて、図１６に示す如く、前述のＳ３〜Ｓ１６の各処理が実施されて、該特定したＵＲＬアドレスのホームページ、例えば店舗情報ページの店舗情報に基づく新たなお店紹介のサイト用ホームページが作成されて、サーバコンピュータ１にアップロードされてパーラー情報サイトにおいて配信されるようになり、遊技場側は、自店のホームページを更新するのみで、パーラー情報サイトにて公開される情報が自動的に更新されるようになる。
【００７０】
以上、本実施例１によれば、前記ホームページ作成コンピュータ５において、総合サイトであるパーラー情報サイトにおいて各遊技場のサイト用ホームページが、各遊技場が独自に公開しているホームページに基づいて自動的に作成されて、パーラー情報サイトにおいて公開されるようになるため、遊技場は独自に公開している自店のホームページのみを更新するのみで良く、よって、各遊技場が、総合サイトであるパーラー情報サイトにおいても店舗情報となる遊技場情報を公開するための、自店の遊技場情報を入力して登録する手間が大きなものとなってしまうことを解消できる。
【００７１】
また、本実施例１によれば、最低文字数による遊技場情報の抽出良否を判定することで、遊技場情報が、作成元となる各遊技場のホームページにおいて、検索に用いた項目キーワードが存在するタグ間に無い可能性が高い場合に、該タグと該項目キーワードに対応付けて遊技場データベースに記憶されている配置関係の記憶内容に基づいて、該配置関係により特定される配置関係にあるタグ間を新たな抽出対象として抽出を実施することで、より確実に遊技場情報を抽出することができる。
【００７２】
また、本実施例１によれば、各遊技場のホームページにおける遊技場情報の記載態様が異なっていても、これら異なった記載態様に応じた所定の配置関係を各遊技場毎に設定できるので、各遊技場の店舗情報をより確実に抽出し、サイト用ホームページに反映できる。
【００７３】
また、本実施例１によれば、前記遊技場登録変更設定画面において、遊技場が公開したくない項目の情報取得先ＵＲＬを入力しないことで、当該項目が項目一覧ページから削除されるとともに、当該項目に対応するサイト用ホームページが作成されないことから、各遊技場が、公開をしたい遊技場情報のみをパーラー情報サイトにおいて公開できる。
【実施例２】
【００７４】
本実施例２は請求項４〜７に対応しており、本実施例２の特徴としては、前記実施例１においては、各遊技場が独自に公開しているホームページからの抽出を項目キーワードによる検索によって実施しているのに対し、本実施例２では、これら項目キーワードに加えて、抽出する遊技場情報のタグ範囲を特定するために、抽出する各遊技場情報に特異な記述内容を更に検索することで特定するようにしている点であり、その他のシステム構成等は、前記実施例１のホームページ作成システムと同一であることから、同一である部分の説明は省略するものとし、前記実施例１からの変更点となる本実施例２の特徴部分について、図１７〜図１９に基づいて以下に説明する。
【００７５】
まず、本実施例２のホームページ作成コンピュータ５の構成は、前記実施例１のホームページ作成コンピュータ５と同一の構成とされているが、記憶装置５５に記憶されている本実施例２の遊技場データベースには、図１７に示すように、前記実施例１における最低文字数と配置関係とに代えて、各項目キーワードに対応して遊技場情報を抽出するタグ間を特定するための内容キーワードと、当該項目キーワード並びに内容キーワードにて検索する範囲となる検索範囲とが設けられており、その他の遊技場名、所在地、項目、サブ項目、取得先ＵＲＬの内容は、前記実施例１における遊技場データベースと同様とされていて、これら各データは、前記実施例１と同様に、遊技場登録変更設定画面により入力された内容が記憶される。
【００７６】
そして、本実施例２では、遊技場登録変更設定画面に設けられている各項目、例えばお店紹介に対応して設けられている「キーワード設定」の選択入力部を選択することで、表示装置５４には、図１８に示すお店紹介項目キーワード設定画面が表示される。
【００７７】
この本実施例２のお店紹介項目キーワード設定画面には、図１８に示すように、各サブ項目に対応して、実施例１の場合と同様の項目キーワード入力部と、当該項目キーワードに対応する内容キーワードを入力するための内容キーワード入力部、並びにこれら入力された内容キーワードにて検索する検索範囲を選択入力するための検索範囲選択入力部とが設けられており、これら項目キーワード入力部、内容キーワード入力部並びに検索範囲選択入力部に入力された各内容が、図１７に示すように、遊技場データベースに各遊技場の遊技場名に対応付けて記憶されることで、各遊技場毎に項目キーワードと内容キーワード並びに検索範囲とを設定できるようになっている。
【００７８】
このように、本実施例２のホームページ作成コンピュータ５のＣＰＵ５１は、図１４に示す遊技場登録変更設定画面に各項目に対応して設けられた「キーワード設定」の選択入力部の選択操作に基づいて、例えば図１８に示すお店紹介項目キーワード設定画面を表示装置５４に表示して、前該項目或いは当該項目に含まれるサブ項目に対応する項目キーワードや内容キーワードや検索範囲の設定を受付けて、前記遊技場データベースに記憶（登録）する項目キーワード設定処理、つまり、本発明の総合サイトであるパーラー情報サイトにおいて提供する店舗情報の項目に対応する項目キーワードと、当該項目に対応する内容キーワードと、該内容キーワードにて検索する所定範囲を遊技場毎に設定する処理を実施し、該項目キーワード設定処理によって本発明におけるキーワード設定手段並びに検索範囲設定手段が形成されている。
【００７９】
また、本実施例２のホームページ作成コンピュータ５のＣＰＵ５１は、前記ホームページデータ取得処理にて取得した公開対象とする各項目のホームページのソースデータ（ホームページデータ）を、前記項目キーワード設定処理によって設定された当該ソースデータ（ホームページデータ）に該当する項目（サブ項目）の項目キーワードで検索し、当該項目キーワードが存在するときに、該ソースデータ（ホームページデータ）中の当該項目キーワードが存在するタグを含む所定範囲、具体的には検索範囲設定手段にて設定された範囲を、該項目キーワードに対応して前記キーワード設定手段にて設定された内容キーワードに基づいて検索し、該検索において内容キーワードが存在するときに、当該内容キーワードが存在するタグ間に含まれる文字情報（テキスト）を抽出する抽出処理を実施し、該抽出処理によって本発明における抽出手段が形成されている。
【００８０】
以下、遊技場、例えばパーラー○△が新たにパーラー情報サイトにて自店の遊技場の情報を公開する場合の流れについて、実施例１と同様に説明する。尚、該遊技場（パーラー○△）は、実施例１と同様に自店に設置しているコンピュータ６にて、図９並びに図１０に示すような、既に通常のパソコン用となるＨＴＭＬデータ形式の独自のホームページを公開しているものとする。
【００８１】
該遊技場（パーラー○△）が提供センターを運営する企業と契約して、パーラー情報サイトにて自店の遊技場の情報を公開するために、該自店が公開しているホームページの各ページのＵＲＬアドレスを該提供センターに通知することで、提供センターに設置されている前記ホームページ作成コンピュータ５において所定の操作が実施されることで、前述の実施例１のように、図１４に示す遊技場登録変更設定画面が表示されて、該遊技場登録変更設定画面内の各項目に各情報が入力される。
【００８２】
この本実施例２の遊技場登録変更設定画面は、図１４に示す前記実施例１の遊技場登録変更設定画面と同一とされていて、遊技場名の入力部、住所入力部、各項目に対応する各項目情報取得先ＵＲＬ入力部と、取得時期の選択設定部と、「キーワード設定」の選択入力部とが設けられている。
【００８３】
尚、本実施例２においても前記実施例１と同様に、前記遊技場登録変更設定画面の各取得先ＵＲＬ入力部に全てＵＲＬアドレスを入力する必要はなく、遊技場がサイトにおいて公開しなくない項目の取得先ＵＲＬ入力部にＵＲＬアドレスを入力しないことで、当該項目が遊技場データベースの項目に登録されないことで、該項目に対応するサイト用ホームページが作成されず、よって遊技場の公開、非公開の要望に答えることができるようになっている。
【００８４】
更に、これら各入力部への入力を実施した後に、該入力（設定）した項目の項目キーワードや内容キーワードと検索範囲とを設定するために、該項目、例えばお店紹介に対応する「キーワード設定」の選択入力部を選択することで、図１８に示すお店紹介項目キーワード設定画面が表示され、該お店紹介項目キーワード設定画面において、該項目であるお店紹介に対応するサイト用ホームページの作成元となる当該遊技場（パーラー○△）の店舗情報ページ（図１０）を参照して、内容キーワードによる検索範囲とするタグ間を特定するための項目キーワードを、各サブ項目毎に設定するとともに、該項目キーワードに対応する内容キーワードと、該内容キーワードにて検索する範囲となる検索範囲を店舗情報ページ（図１０）を参照して設定する。
【００８５】
具体的には、開店情報であれば、図１０に示すパーラー○△の店舗情報ページの開店に関する情報の表記として「開店情報」が用いられているので項目キーワードとしては「開店情報」を設定すれば良く、そして該「開店情報」の項目キーワードに対応する内容キーワードとしては、開店情報であれば「何月何日」という開店する日付の記述が必ずされているはずであり、図１０に示すパーラー○△の店舗情報ページも「４月１５日」の日付の記述を含むことから、内容キーワードとしては「○月○日」を設定するとともに、パーラー○△の店舗情報ページにおいては、開店情報（日付等）の記述が項目キーワードとする「開店情報」を含む同一テーブル内に表記されているので、＜ＴＡＢＬＥ＞＜／ＴＡＢＬＥ＞タグにて挟まれた同一テーブル内を検索範囲として設定すれば良い。
【００８６】
これらサブ項目である開店情報と同様に、順次各サブ項目、具体的には、住所、交通、電話、営業時間、営業形態、交換率、定休日、台数、駐車場の各サブ項目の項目キーワード並びに内容キーワードと検索範囲とを、図１０に示すパーラー○△の店舗情報ページを参照して設定した後、該お店紹介項目キーワード設定画面の下方に設けられている設定の選択入力部を選択入力することで、該お店紹介項目キーワード設定画面が閉じて前記遊技場登録変更設定画面に戻り、該遊技場登録変更設定画面の下方に設けられている「登録」の選択入力部を選択入力することで、該遊技場登録変更設定画面にて入力或いは選択された設定内容並びに各項目キーワード設定画面（お店紹介項目キーワード設定画面）にて入力或いは選択された設定内容が、前記遊技場データベースに遊技場名に対応付けて記憶される。
【００８７】
この遊技場データベースへの登録に基づいて、前記ＣＰＵ５１は、図１９のフロー図に示すＳ１〜Ｓ１６の処理を実施することで、該新たに登録された遊技場名に対応付けて遊技場データベースに登録（記憶）された各項目のＵＲＬアドレスのホームページに基づいて、各項目に該当するサイト用ホームページを作成する。
【００８８】
具体的には、遊技場データベースに新たに登録された遊技場が該当する遊技場名一覧ページを当該遊技場の住所から特定（例えば、パーラー○△であれば渋谷区の遊技場名一覧ページが該当する）し、該特定した遊技場一覧ページに当該遊技場名を加えた新たな遊技場一覧ページを作成する（Ｓ１）。
【００８９】
そして、Ｓ２に進んで、該遊技場名に対応して遊技場データベースにＵＲＬアドレスが記憶されている項目名、例えばパーラー○△であれば、出玉ベスト１０以外の全ての項目を特定し、項目一覧ページを作成、該作成した項目一覧ページを、Ｓ１にて作成した新たな遊技場一覧ページの当該遊技場名にリンク付けする。
【００９０】
尚、これら遊技場一覧ページや項目一覧ページとしては、後述するサイト用ホームページと同様に、通常のＨＴＭＬ形式とともに、各種携帯電話事業者の携帯電話において使用可能な各データ形式（Ｃ-ＨＴＭＬ形式、ＨＤＭＬ形式、ＭＭＬ形式）の各ページが作成される。
【００９１】
そして、Ｓ３に進んで、Ｓ２にて特定した各項目のＵＲＬアドレス（取得先ＵＲＬ）のホームページのソースデータを、前記コンピュータ６から取得（ダウンロード）する。
【００９２】
そして、Ｓ４に進み、前記特定した項目、例えばお店紹介の項目であれば、前記共通ページデータデータテーブルに、当該お店紹介に対応付けて記憶されているパスデータから、各携帯電話事業者（会社）のデータ形式に対応した共通ページデータファイルを特定するとともに、該特定した各共通ページ内の店舗名称に該当する部位に、当該遊技場の遊技場名を置き換え挿入する。
【００９３】
そして、Ｓ５に進み、前記取得した各項目のＵＲＬアドレスのソースデータの内、該項目である例えばお店紹介に対応するＵＲＬアドレスから取得したソースデータを、当該項目であるお店紹介に対応付けて遊技場データベースに記憶されている項目キーワード、例えば「開店情報」の項目キーワードにて検索する。
【００９４】
そして、該「開店情報」の項目キーワードが取得したソースデータ中に存在するか否かを判定し（Ｓ６）、該「開店情報」の項目キーワードが存在する場合にはＳ７＋に進んで、該項目キーワードが存在するタグを含み、当該「開店情報」の項目キーワードに対応して遊技場データベースに記憶されている検索範囲である「同一テーブル」、つまりは当該項目キーワードである「開店情報」が存在する＜ＴＨ＞＜／ＴＨ＞タグを含み、且つ＜ＴＡＢＬＥ＞＜／ＴＡＢＬＥ＞タグにて挟まれた範囲を検索対象に設定し、該検索対象を該「開店情報」の項目キーワードに対応して遊技場データベースに記憶されている「○月○日」（○は任意のキャラクタを示す）の内容キーワードにて検索する。
【００９５】
そして、Ｓ８＋に進み、「○月○日」の内容キーワードが検索範囲に存在するか否かを判定する。
【００９６】
該Ｓ８＋の判定において、「○月○日」の内容キーワードが検索範囲に存在する場合にはＳ９＋に進み、該「○月○日」の内容キーワードが存在する＜ＴＲ＞＜／ＴＲ＞タグ間を抽出対象として特定し、該＜ＴＲ＞＜／ＴＲ＞タグ間に存在するタグ以外のキャラクタ、具体的には「４月１５日（木）昼１１時リニューアルオープン！！」を抽出する。
【００９７】
そして、Ｓ１０に進んで、Ｓ９にて抽出したキャラクタ「４月１５日（木）昼１１時リニューアルオープン！！」を、該「開店情報」の項目キーワードに対応するサブ項目である開店情報に対応する前記Ｓ４にて特定した各携帯電話事業者（会社）のデータ形式の各共通ページ中の該当部位となる”開店情報”の部位に置き換え挿入する。尚、Ｓ８＋の判定において内容キーワードが検索範囲に存在しない場合には、前記Ｓ９＋並びにＳ１０を実施せずに、Ｓ１１に進んで、当該項目、例えばお店紹介の項目に対応する全ての項目キーワードを検索済みかを判定し、全ての項目キーワードを検索済みではない場合には、Ｓ１２に進んで、次の項目キーワード、具体的には、「開店情報」の項目キーワードに続く項目キーワードである「住所」の項目キーワードを特定し、同じ図１０に示す店舗情報ページのソースデータを該特定した項目キーワードである「住所」にて検索し、再度Ｓ６に戻って、Ｓ６〜Ｓ１２の処理を繰返し実施することで、お店紹介の項目に対応する各項目キーワード、具体的には、「住所」、「交通」、「電話」、「営業時間」、「営業形態」、「交換率」、「定休日」、「台数」、「駐車場」の各項目キーワード並びに内容キーワードによる検索と抽出並びに共通ページへの挿入が順次実施されていき、各共通ページが、例えば携帯電話事業者（会社）Ａであれば図８に示すようなＣ−ＨＴＭＬ形式のソースデータとされ、全ての項目キーワードが検索済みとなった場合に、前記Ｓ１１において「Ｙｅｓ」として判定されてＳ１３に進むことで、このようにして各項目キーワードに基づいて抽出された抽出キャラクタが挿入された各データ形式の共通ページをサイト用ホームページとして確定する。
【００９８】
そして、Ｓ１４に進んで、該確定した各携帯電話事業者（会社）に対応した形式のサイト用ホームページのソースデータを、各携帯電話事業者（会社）に対応した形式の当該項目の項目一覧ページの表示に対してリンク付けを実施するとともに、Ｓ１５に進んで、前記Ｓ３にて取得した全てのソースデータ、つまりは全ての項目に対応するソースデータを処理済みであるかを判定し、該判定により全ての項目が処理済みでない場合には、図１９のＳ５に戻って、再度Ｓ５〜Ｓ１５の処理を実施することで、順次未処理の項目、具体的には、「パチンコ設置機種」、「スロット設置機種」、…の各項目に対応するサイト用ホームページが作成される。
【００９９】
そして、Ｓ３にて取得した全てのソースデータ、つまりは全ての項目に対応するソースデータを処理済みとなった場合には、Ｓ１５にて「Ｙｅｓ」として判定されてＳ１６に進むことで、遊技場一覧ページ（各データ形式）の当該遊技場名にリンク付けされた項目一覧ページ（各データ形式）と、該項目一覧ページの各項目の表示にリンク付けされた当該項目に対応する各データ形式のサイト用ホームページ（ソースデータ）と、これらリンク付けされた遊技場名一覧ページ、項目一覧ページ並びにサイト用ホームページを前記ページデータ記憶領域に配信可能に記憶（登録）することを要求する登録要求とをアップロードプログラムによりサーバコンピュータ１に送信（アップロード）することで、サーバコンピュータ１がページデータ記憶領域に記憶されている各ページデータを更新することで、該アップロードされた各ページが、パーラー情報サイトにて公開されるようになる。
【０１００】
尚、これらアップロードされた各ページがサーバコンピュータ１から配信される状況に関しては実施例１と同様であり、説明を省略する。
【０１０１】
そしてパーラー情報サイトにおいて遊技場情報が公開されて時間が経過した際、例えば約１ヶ月が経過して翌月の１日となった場合には、図１９のＳ１７に示すように、前記遊技場データベースに記憶されている取得時期のデータから、その当日において更新対象となる項目のＵＲＬアドレス、具体的には、取得時期のデータとして「毎月１日」が記憶されている「お店紹介」の項目に対応するＵＲＬアドレス、例えば、パーラー○△の場合であれば、当該パーラー○△のホームページにおける店舗情報ページのＵＲＬアドレスが特定され、該特定されたＵＲＬアドレスに基づいて、図１９に示す如く、前述のＳ３〜Ｓ１６の各処理が実施されて、該特定したＵＲＬアドレスのホームページ、例えば店舗情報ページの店舗情報に基づく新たなお店紹介のサイト用ホームページが作成されて、サーバコンピュータ１にアップロードされてパーラー情報サイトにおいて配信されるようになり、遊技場側は、自店のホームページを更新するのみで、パーラー情報サイトにて公開される情報が自動的に更新されるようになる。
【０１０２】
以上、本実施例２によれば、前記ホームページ作成コンピュータ５において、総合サイトであるパーラー情報サイトにおいて各遊技場のサイト用ホームページが、各遊技場が独自に公開しているホームページに基づいて自動的に作成されて、パーラー情報サイトにおいて公開されるようになるため、遊技場は独自に公開している自店のホームページのみを更新するのみで良く、よって、各遊技場が、総合サイトであるパーラー情報サイトにおいても店舗情報となる遊技場情報を公開するための、自店の遊技場情報を入力して登録する手間が大きなものとなってしまうことを解消できる。
【０１０３】
また、本実施例２によれば、各遊技場のホームページ毎に、遊技場情報の項目および項目に対応する遊技場情報の内容の表現態様が異なっていても、これら異なった表現態様に応じた項目キーワードおよび内容キーワードを各遊技場毎に設定できるので、各遊技場の遊技場情報をより確実に抽出し、サイト用ホームページに反映できる。
【０１０４】
また、本実施例２によれば、各遊技場のホームページにおける遊技場情報の記載態様が異なっていても、これら異なった記載態様に応じた所定範囲を各遊技場毎に設定できるので、各遊技場の遊技場情報をさらに確実に抽出し、サイト用ホームページに反映できる。
【０１０５】
また、本実施例２によれば、前記遊技場登録変更設定画面において、遊技場が公開したくない項目の情報取得先ＵＲＬを入力しないことで、当該項目が項目一覧ページから削除されるとともに、当該項目に対応するサイト用ホームページが作成されないことから、各遊技場が、公開をしたい遊技場情報のみをパーラー情報サイトにおいて公開できる。
【０１０６】
以上、本発明の実施例を図面により説明してきたが、具体的な構成はこれら実施例に限られるものではなく、本発明の要旨を逸脱しない範囲における変更や追加があっても本発明に含まれる。
【０１０７】
例えば、前記各実施例では、より多くの情報をアクセス利用者に入手しやすい形態にて提供するために、パーラー情報サイトにおいて項目一覧ページを有するようにしているが、本発明はこれに限定されるものではなく、これら提供する内容を、例えばお店紹介のみとするような場合には、項目一覧ページを有しない構成として、お店紹介ページを遊技場一覧ページの当該遊技場名に直接リンクするようにしても良い。
【０１０８】
また、前記各実施例では、ホームページ作成コンピュータ５側において、遊技場名一覧ページや、項目一覧ページを作成しているが、本発明はこれに限定されるものではなく、例えば、サーバコンピュータ１にも各遊技場の住所や名称等を記憶した遊技場テーブルを記憶しておき、検索結果となる遊技場名一覧ページや、項目一覧ページをサーバコンピュータ１にて、その都度作成するようにしても良く、その場合には、これら作成された遊技場名一覧ページや、項目一覧ページへのリンク対象が、遊技場名とともに送信されるサイト用ホームページである旨をホームページ作成コンピュータ５がサーバコンピュータ１に送信するようにすれば良い。
【０１０９】
また、前記各実施例では、サイト用ホームページとして、携帯電話事業者の携帯電話において使用可能なデータ形式のサイト用ホームページに加えて携帯電話向けではない通常のＨＴＭＬデータ形式のサイト用ホームページも作成するようにしているが、本発明はこれに限定されるものではなく、携帯電話向けのサイト用ホームページのみを作成したり、或いは携帯電話向けではない通常のＨＴＭＬデータ形式のサイト用ホームページのみを作成するようにしても良い。
【０１１０】
また、前記各実施例では、ホームページ作成コンピュータ５を、サーバコンピュータ１を運営する会社の提供センタに、サーバコンピュータ１とともに設置した例を示したが、本発明はこれに限定されるものではなく、これらホームページ作成コンピュータ５の設置場所や設置形態、並びに運営企業等に関しては特に限定されるものではない。
【０１１１】
また、前記各実施例では、店舗として遊技場を例に説明したが、本発明はこれに限定されるものではなく、これら遊技場以外の店舗、例えばビデオレンタル店等においても本発明を提供できることは言うまでもない。
【０１１２】
また、前記実施例１では、最低文字数並びに配置関係とを各項目キーワード毎に設定できるようにしており、このようにすることは、抽出精度をより向上できることから好ましいが、本発明はこれに限定されるものではなく、これら最低文字数或いは配置関係を各遊技場の項目キーワードに対して共通して設定するようにしても良い。
【０１１３】
また、前記実施例２では、設定できる内容キーワードを１つとしているが、本発明はこれに限定されるものではなく、これら内容キーワードを複数、例えばパチンコ機種の機種名やスロットマシンの機種名のように、複数の内容キーワードを設定したい場合には、これら多数の内容キーワードを含む台名ファイル（図１７参照）を内容キーワードとして設定することで、多種多様の機種名を的確に抽出できるようにしても良い。
【０１１４】
また、前記各実施例では、項目キーワードを各店舗である各遊技場毎に設定できるようにしているが、本発明はこれに限定されるものではなく、これらの項目キーワードを各店舗である各遊技場に共通な項目キーワードとしても良く、この場合にあっては、各店舗である各遊技場において使用される可能性のある想定し得る複数の項目キーワードを設定しておき、これら設定された全ての項目キーワードにて検索することが望ましい。
【０１１５】
また、前記各実施例では、図１６のＳ９並びに図１９のＳ９＋において、タグ間の全てのキャラクタを抽出しているが、本発明はこれに限定されるものではなく、当該タグ間のキャラクタ（文字情報）の内、その一部（所定文字数や内容キーワードを含めてた所定文字数の文字情報）を抽出するようにしても良い。
【０１１６】
また、前記各実施例では、パーラー情報サイトにおける遊技場の検索方法が、都市や地域を選択入力して遊技場一覧を表示することから、検索結果の遊技場一覧ページが、パーラー情報サイトにおいて遊技場情報を公開するために契約した遊技場の所在から、一義的な検索結果となるために、ホームページ作成コンピュータ５側において、遊技場名一覧ページや、項目一覧ページを作成して、これら遊技場名一覧ページと項目一覧ページに対してサイト用ホームページ作成処理において作成した各項目のサイト用ホームページをリンク付けするようにしているが、本発明はこれに限定されるものではなく、サーバコンピュータ１にも各遊技場の住所や名称等を記憶した遊技場テーブルを記憶しておき、例えば、図２０に示すように、検索方法として、都市や地域を選択入力の他に、直接遊技場名（店名）を入力することにより、入力された店名を含む検索結果をサーバコンピュータ１にて、その都度作成する場合等にあっては、作成される検索結果のページが一義的なものとならないことから、その場合には、これら作成された検索結果ページである遊技場名一覧ページや、該遊技場名一覧ページに一覧表示された各遊技場の項目一覧ページへのリンク対象が、各遊技場名とともに送信されるサイト用ホームページである旨をホームページ作成コンピュータ５がサーバコンピュータ１に送信するようにすれば良い。
【０１１７】
尚、本発明におけるタグ間としては、前記実施例のものに限定されるものではなく、例えば「改行」から「改行」や、「，」から「，」や、「．」から「．」や、「、」から「、」や、「。」から「。」等の記号や符号間も概念として含まれる。
【０１１８】
前記実施例における各要素は、本発明に対して以下のように対応している。
本発明の請求項１は、データ通信可能に接続された複数のコンピュータ端末から成るコンピュータネットワーク（インターネット網８）に接続されたコンピュータ（ホームページ作成コンピュータ）を用いて、複数の店舗（遊技場）の店舗情報を１つの総合サイト（パーラー情報サイト）において提供するための総合店舗情報ホームページ（サイト用ホームページ）を作成するホームページ作成システムであって、各店舗のホームページのホームページアドレス（ＵＲＬアドレス）を入力するための入力手段（ＣＰＵ５１；遊技場登録変更受付け設定処理）と、前記総合サイトにおいて提供する店舗情報の項目に対応する項目キーワードを設定するキーワード設定手段（ＣＰＵ５１；項目キーワード設定処理）と、前記入力手段から入力されたホームページアドレスに対応するホームページのホームページデータ（ソースデータ）を、予め定められた所定の取得時期において取得するホームページデータ取得手段（ＣＰＵ５１；ホームページデータ取得処理）と、該ホームページデータ取得手段にて取得したホームページデータを前記キーワード設定手段にて設定された項目キーワードで検索し、当該項目キーワードが存在するときに、該ホームページデータ中の当該項目キーワードが存在するタグ間に、当該項目キーワードとともに含まれる文字情報（テキスト）を抽出する抽出手段（ＣＰＵ５１；抽出処理）と、前記総合店舗情報ホームページのホームページデータの内、前記店舗情報の項目を含み、各店舗に共通する部分である共通ホームページデータを記憶する共通ホームページデータ記憶手段（記憶装置５５；共通ページデータテーブル）と、前記抽出手段にて抽出した文字情報を該抽出に用いた項目キーワードの項目に対応する店舗情報として前記共通ホームページデータ記憶手段に記憶された共通ホームページデータに挿入することにより前記総合店舗情報ホームページを作成するホームページ作成手段（ＣＰＵ５１；ホームページ作成処理）と、該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバ（サーバコンピュータ１）に送信する登録要求送信手段（ＣＰＵ５１；登録要求送信処理）と、を備える。
【０１１９】
本発明の請求項２は、前記項目キーワードが存在するタグ間に当該項目キーワードとともに含まれる文字情報（キャラクタ）の最低文字数を設定する最低文字数設定手段（ＣＰＵ５１；項目キーワード設定処理）を備え、前記抽出手段（ＣＰＵ５１；抽出処理）は、抽出した文字情報の文字数が前記最低文字数設定手段にて設定された最低文字数未満であるときに、前記項目キーワードが存在するタグと所定の配置関係にあるタグ間を新たな抽出対象として、当該新たな抽出対象となるタグ間に含まれる文字情報を抽出する。
【０１２０】
本発明の請求項３は、  前記所定の配置関係を各店舗（遊技場）毎に設定する配置関係設定手段（ＣＰＵ５１；項目キーワード設定処理）を備え、前記抽出手段（ＣＰＵ５１；抽出処理）は、抽出した文字情報の文字数が前記最低文字数設定手段（ＣＰＵ５１；項目キーワード設定処理）にて設定された最低文字数未満であるときに、前記配置関係設定手段にて抽出対象のホームページデータに対応する店舗に対して設定された所定の配置関係から、新たに抽出対象とするタグ間を特定して文字情報を抽出する。
【０１２１】
本発明の請求項４は、データ通信可能に接続された複数のコンピュータ端末から成るコンピュータネットワーク（インターネット網８）に接続されたコンピュータ（ホームページ作成コンピュータ）を用いて、複数の店舗（遊技場）の店舗情報を１つの総合サイト（パーラー情報サイト）において提供するための総合店舗情報ホームページ（サイト用ホームページ）を作成するホームページ作成システムであって、各店舗のホームページのホームページアドレス（ＵＲＬアドレス）を入力するための入力手段（ＣＰＵ５１；遊技場登録変更受付け設定処理）と、前記総合サイトにおいて提供する店舗情報の項目に対応する項目キーワードと、当該項目に対応する内容キーワードとを設定するキーワード設定手段（ＣＰＵ５１；項目キーワード設定処理）と、前記入力手段から入力されたホームページアドレスに対応するホームページのホームページデータ（ソースデータ）を、予め定められた所定の取得時期において取得するホームページデータ取得手段（ＣＰＵ５１；ホームページデータ取得処理）と、該ホームページデータ取得手段にて取得したホームページデータを前記キーワード設定手段にて設定された項目キーワードで検索し、当該項目キーワードが存在するときに、該ホームページデータ中の当該項目キーワードが存在するタグを含む所定範囲を、該項目キーワードに対応して前記キーワード設定手段にて設定された内容キーワードに基づいて検索し、該検索において内容キーワードが存在するときに、当該内容キーワードが存在するタグ間に含まれる文字情報を抽出する抽出手段（ＣＰＵ５１；抽出処理）と、前記総合店舗情報ホームページのホームページデータの内、前記店舗情報の項目を含み、各店舗に共通する部分である共通ホームページデータを記憶する共通ホームページデータ記憶手段（記憶装置５５；共通ページデータテーブル）と、前記抽出手段にて抽出した文字情報を該抽出に用いた項目キーワードの項目に対応する店舗情報として前記共通ホームページデータ記憶手段に記憶された共通ホームページデータに挿入することにより前記総合店舗情報ホームページを作成するホームページ作成手段（ＣＰＵ５１；ホームページ作成処理）と、該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバ（サーバコンピュータ１）に送信する登録要求送信手段（ＣＰＵ５１；登録要求送信処理）と、を備える。
【０１２２】
本発明の請求項５は、前記キーワード設定手段（ＣＰＵ５１；項目キーワード設定処理）においては、前記項目キーワード並びに内容キーワードを、各店舗（遊技場）毎に個別に設定し、前記抽出手段（ＣＰＵ５１；抽出処理）は、抽出対象とする前記ホームページデータ（ソースデータ）を当該ホームページデータに対応する店舗に対して前記キーワード設定手段にて設定された項目キーワード並びに内容キーワードで検索して前記抽出を行う。
【０１２３】
本発明の請求項６は、前記内容キーワードにて検索する所定範囲を、各店舗（遊技場）毎に個別に設定する検索範囲設定手段（ＣＰＵ５１；項目キーワード設定処理）を備え、前記抽出手段（ＣＰＵ５１；抽出処理）は、抽出対象とする前記ホームページデータ（ソースデータ）を当該ホームページデータに対応する店舗に対して前記検索範囲設定手段にて設定された所定範囲を検索して前記抽出を行う。
【０１２４】
本発明の請求項７は、前記総合サイト（パーラー情報サイト）において公開する店舗（遊技場）情報の項目を、各店舗毎に個別に設定する公開項目設定手段（ＣＰＵ５１；遊技場登録変更受付け設定処理）を備え、前記抽出手段（ＣＰＵ５１；抽出処理）は、抽出対象とする前記ホームページデータ（ソースデータ）を当該ホームページデータに対応する店舗に対して前記公開項目設定手段にて設定された項目に対応する項目キーワードで検索して前記抽出を行う。
【図面の簡単な説明】
【０１２５】
【図１】本発明のホームページ作成システムが適用された本実施例のシステムを示すシステム図である。
【図２】本発明の実施例に用いたサーバコンピュータ並びにホームページ作成コンピュータの構成を示すブロック図である。
【図３】本発明の実施例に用いたサーバコンピュータにて提供されるパーラー情報サイトの構成を示す図である。
【図４】本発明の実施例に用いたサーバコンピュータにて提供されるパーラー情報サイトのトップページが表示されたアクセス利用者の携帯電話を示す図である。
【図５】本発明の実施例に用いたサーバコンピュータにて提供されるパーラー情報サイトの検索ページが表示されたアクセス利用者の携帯電話を示す図である。
【図６】本発明の実施例に用いたサーバコンピュータにて提供されるパーラー情報サイトの遊技場名一覧ページが表示されたアクセス利用者の携帯電話を示す図である。
【図７】本発明の実施例に用いたサーバコンピュータにて提供されるパーラー情報サイトの項目一覧ページが表示されたアクセス利用者の携帯電話を示す図である。
【図８】（ａ）は、本発明の実施例に用いたサーバコンピュータにて提供されるパーラー情報サイトのお店紹介ページのソースデータを示す図であり、（ｂ）は、アクセス利用者の携帯電話に表示されるお店紹介ページを示す図である。
【図９】本発明の実施例に用いた各遊技場のコンピュータにて配信される遊技場独自のホームページ（トップページ）を示す図である。
【図１０】（ａ）は、本発明の実施例に用いた各遊技場のコンピュータにて配信される遊技場独自のホームページを示す図であり、（ｂ）は、該遊技場独自のホームページのソースデータを示す図である。
【図１１】本発明の実施例に用いたサーバコンピュータにおけるユーザー情報データベースを示す図である。
【図１２】本発明の実施例１に用いたホームページ作成コンピュータにおける遊技場データベースを示す図である。
【図１３】本発明の実施例に用いたホームページ作成コンピュータにおける共通ページデータテーブルを示す図である。
【図１４】本発明の実施例１に用いたホームページ作成コンピュータにおける遊技場登録変更設定画面を示す図である。
【図１５】本発明の実施例１に用いたホームページ作成コンピュータにおけるお店紹介項目キーワード設定画面を示す図である。
【図１６】本発明の実施例１に用いたホームページ作成コンピュータにおける処理内容を示すフロー図である。
【図１７】本発明の実施例２に用いたホームページ作成コンピュータにおける遊技場データベースを示す図である。
【図１８】本発明の実施例２に用いたホームページ作成コンピュータにおけるお店紹介項目キーワード設定画面を示す図である。
【図１９】本発明の実施例２に用いたホームページ作成コンピュータにおける処理内容を示すフロー図である。
【図２０】その他の形態におけるパーラー情報サイトの検索ページ並びに検索結果ページが表示されたアクセス利用者の携帯電話を示す図である。
【符号の説明】
【０１２６】
１      サーバコンピュータ
２      通信装置
３      携帯電話
４      ノートパソコン
５      ホームページ作成コンピュータ
６      コンピュータ
７      コンピュータ
８      インターネット網
１０    データバス
１１    中央演算処理回路（ＣＰＵ）
１２    ＲＡＭ
１３    通信インターフェイス
１５    記憶装置
１７    リアルタイムクロック（ＲＴＣ）
５０    データバス
５１    中央演算処理回路（ＣＰＵ）
５２    ＲＡＭ
５３    通信インターフェイス
５４    表示装置
５５    記憶装置
５６    入力装置
５７    リアルタイムクロック（ＲＴＣ）
【図１】
2005339418.tif 000003
【図２】
2005339418.tif 000004
【図３】
2005339418.tif 000005
【図４】
2005339418.tif 000006
【図５】
2005339418.tif 000007
【図６】
2005339418.tif 000008
【図７】
2005339418.tif 000009
【図８】
2005339418.tif 000010
【図９】
2005339418.tif 000011
【図１０】
2005339418.tif 000012
【図１１】
2005339418.tif 000013
【図１２】
2005339418.tif 000014
【図１３】
2005339418.tif 000015
【図１４】
2005339418.tif 000016
【図１５】
2005339418.tif 000017
【図１６】
2005339418.tif 000018
【図１７】
2005339418.tif 000019
【図１８】
2005339418.tif 000020
【図１９】
2005339418.tif 000021
【図２０】
2005339418.tif 000022